(57)【要約】【課題】噴霧デバイスに用いられるメッシュ部材を交換可能とするとともに、噴霧デバイス内でメッシュ部材と容器部とをしっかり固定させることが可能な、噴霧デバイス用の液体カートリッジを提供する。【解決手段】液体カートリッジ１００は、液体収容部１１２とフランジ部１１４とを有する容器部１１０と、液体収容部１１２の開口を覆うようにフランジ部１１４上に配置されたメッシュ部材１２０とを備えている。メッシュ部材１２０のうち、液体収容部１１２の開口が存在する領域に複数の貫通孔１２２が形成され、容器部１１０の液体収容部１１２には液体１３０が収容されている。容器部１１０およびメッシュ部材１２０が噴霧デバイス１０００に組み込まれた際、噴霧デバイス１０００の固定部材１０８０によって、容器部１１０のフランジ部１１４およびメッシュ部材１２０の外周が折り曲げられて、両者が接合される。【選択図】図１
2013255693.tif 000002
【特許請求の範囲】
【請求項１】
噴霧デバイス用の液体カートリッジであって、
一端が開口する液体収容部と、前記液体収容部周囲に設けられたフランジ部とを有する容器部と、
前記液体収容部の開口を覆うように前記容器部の前記フランジ部上に配置され、複数の貫通孔が前記液体収容部の前記開口が存在する領域に位置するように形成されたメッシュ部材と、を備え、
前記液体収容部に液体が収容され、
前記容器部および前記メッシュ部材が前記噴霧デバイスに組み込まれた際、前記噴霧デバイス側の固定部材によって、前記容器部の前記フランジ部および前記メッシュ部材の外周が折り曲げられて、両者が接合されることを特徴とする液体カートリッジ。
【請求項２】
前記固定部材は、前記メッシュ部材側に位置する第１固定部材と、前記フランジ部側に位置する第２固定部材とを含み、前記容器部の前記フランジ部および前記メッシュ部材の外周は、前記第１固定部材と前記第２固定部材との間で折り曲げられることを特徴とする請求項１記載の液体カートリッジ。
【請求項３】
前記メッシュ部材又は前記容器部に、前記噴霧デバイス側と電気的に接続されるとともに前記容器部の前記液体収容部内に収容された液体を霧化するための振動付与部が設けられていることを特徴とする請求項１又は２記載の液体カートリッジ。
【請求項４】
前記メッシュ部材又は前記容器部に、前記噴霧デバイス側と電気的に接続されるとともに前記容器部の前記液体収容部内に収容された液体を吐出するためのエネルギー伝達部が設けられていることを特徴とする請求項１又は２記載の液体カートリッジ。
【請求項５】
噴霧口を有する筐体と、
前記筐体内に配置された液体カートリッジであって、一端が開口する液体収容部と前記液体収容部周囲に設けられたフランジ部とを有する容器部と、前記液体収容部の開口を覆うように前記容器部の前記フランジ部上に配置され、複数の貫通孔が前記液体収容部の前記開口が存在する領域に位置するように形成されたメッシュ部材とを有し、前記液体収容部に液体が収容された、液体カートリッジと、
前記液体カートリッジの前記液体収容部内に収容された前記液体を霧化するための振動付与部と、
前記振動付与部に接続され、前記振動付与部に電源を供給する電源部と、
前記筐体内に配置され、前記容器部の前記フランジ部および前記メッシュ部材の外周を折り曲げることにより両者を接合する固定部材とを備えたことを特徴とする噴霧デバイス。
【請求項６】
前記固定部材は、前記メッシュ部材側に位置する第１固定部材と、前記フランジ部側に位置する第２固定部材とを含み、前記容器部の前記フランジ部および前記メッシュ部材の外周は、前記第１固定部材と前記第２固定部材との間で折り曲げられることを特徴とする請求項５記載の噴霧デバイス。
【請求項７】
前記第１固定部材および前記第２固定部材は、それぞれリング状部材からなることを特徴とする請求項６記載の噴霧デバイス。
【請求項８】
前記第１固定部材および前記第２固定部材は、それぞれ棒状部材からなることを特徴とする請求項６記載の噴霧デバイス。
【請求項９】
前記第１固定部材および前記第２固定部材は、それぞれテーパー面を有し、前記第１固定部材の前記テーパー面と前記第２固定部材の前記テーパー面とが、互いに対向する位置に設けられていることを特徴とする請求項６記載の噴霧デバイス。
【請求項１０】
前記第１固定部材および前記第２固定部材のうち、一方の固定部材は凹部を有し、他方の固定部材は前記凹部に対応する凸部を有することを特徴とする請求項６記載の噴霧デバイス。
【請求項１１】
前記第１固定部材および前記第２固定部材の少なくとも一方に連結され、前記第１固定部材および前記第２固定部材を相対的に接近させるための接近手段を更に備えたことを特徴とする請求項６〜１０のいずれか１項記載の噴霧デバイス。
【請求項１２】
噴霧口を有する筐体と、
前記筐体内に配置された液体カートリッジであって、一端が開口する液体収容部と前記液体収容部周囲に設けられたフランジ部とを有する容器部と、前記液体収容部の開口を覆うように前記容器部の前記フランジ部上に配置され、複数の貫通孔が前記液体収容部の前記開口が存在する領域に位置するように形成されたメッシュ部材とを有し、前記液体収容部に液体が収容された、液体カートリッジと、
前記液体カートリッジの前記液体収容部内に収容された前記液体を霧化するためのエネルギー伝達部と、
前記エネルギー伝達部に接続され、前記エネルギー伝達部に電源を供給する電源部と、
前記筐体内に配置され、前記容器部の前記フランジ部および前記メッシュ部材の外周を折り曲げることにより両者を接合する固定部材とを備えたことを特徴とする噴霧デバイス。
【請求項１３】
噴霧デバイス用のメッシュ付容器であって、
一端が開口する液体収容部と、前記液体収容部周囲に設けられたフランジ部とを有する容器部と、
前記液体収容部の開口を覆うように前記容器部の前記フランジ部上に配置され、複数の貫通孔が前記液体収容部の前記開口が存在する領域に位置するように形成されたメッシュ部材と、を備え、
前記容器部および前記メッシュ部材が前記噴霧デバイスに組み込まれた際、前記噴霧デバイス側の固定部材によって、前記容器部の前記フランジ部および前記メッシュ部材の外周が折り曲げられて、両者が接合されることを特徴とするメッシュ付容器。
【発明の詳細な説明】
【技術分野】
【０００１】
本発明は、噴霧デバイス用の液体カートリッジ、液体カートリッジパッケージ、噴霧デバイス及び噴霧デバイス用のメッシュ付容器に関する。
【背景技術】
【０００２】
一般に、家庭内のみならず屋外で、有効成分を含む液体を霧化して人体に噴霧するミスト発生器（噴霧デバイス）が、美容や医療などの様々な用途で用いられている。
【０００３】
例えば、特許文献１に記載された従来のミスト発生器は、金属メッシュに対向するように配置された振動子により液体に超音波振動を付与して、金属メッシュを通して液体を霧化して人体へ噴霧するようになっている。また、現在市販されているミスト発生器は、装置に金属メッシュが備え付けられており、使用するたびごとに指定された容器にメーカー指定の液体を充填し、この容器を装置内にセットして使用することが常法となっている。
【先行技術文献】
【特許文献】
【０００４】
【特許文献１】特開２０００−２３７２７５号公報
【発明の概要】
【発明が解決しようとする課題】
【０００５】
しかしながら、従来のミスト発生器においては、上述したようにメッシュが備え付けとなっているため、メッシュを交換することができないようになっている。このため、使用後のメンテナンスを怠ると、液体中の有効成分がメッシュに析出することがあり、場合によっては、ミスト発生器を長期間使用した後、メッシュの一部に細菌などが繁殖する虞があり、衛生上好ましくないという問題がある。
【０００６】
また、従来のミスト発生器においては、用いる液体の種類に応じてメッシュが設計されているため、所定のミスト発生器で使用できる液体は予め決められている。そのため、使用する液体を使用者が任意に変更することができず、利便性を欠いていた。
【０００７】
これに対して、噴霧デバイスに用いられるメッシュを交換可能とすることにより、メッシュが故障または劣化したり、不衛生になったりすることを防止することが考えられる。しかしながら、メッシュを交換可能とする場合、メッシュと容器部との固定方法が不十分であると、メッシュと容器部との間から液体が漏れ出してしまうおそれがある。またメッシュと容器部とを固定したとき、メッシュが不用意にたわんでしまうと、意図した液体の噴霧が不可能となってしまう。
【０００８】
本発明は、上記実情に鑑みてなされたものであり、噴霧デバイスに用いられるメッシュ部材を交換可能とするとともに、噴霧デバイス内でメッシュ部材と容器部とをしっかり固定させることを主目的とする。
【課題を解決するための手段】
【０００９】
本発明の一実施の形態による液体カートリッジは、噴霧デバイス用の液体カートリッジであって、一端が開口する液体収容部と、前記液体収容部周囲に設けられたフランジ部とを有する容器部と、前記液体収容部の開口を覆うように前記容器部の前記フランジ部上に配置され、複数の貫通孔が前記液体収容部の前記開口が存在する領域に位置するように形成されたメッシュ部材と、を備え、前記液体収容部に液体が収容され、前記容器部および前記メッシュ部材が前記噴霧デバイスに組み込まれた際、前記噴霧デバイス側の固定部材によって、前記容器部の前記フランジ部および前記メッシュ部材の外周が折り曲げられて、両者が接合されることを特徴とするものである。
【００１０】
本発明の一実施の形態による液体カートリッジにおいて、前記固定部材は、前記メッシュ部材側に位置する第１固定部材と、前記フランジ部側に位置する第２固定部材とを含み、前記容器部の前記フランジ部および前記メッシュ部材の外周は、前記第１固定部材と前記第２固定部材との間で折り曲げられてもよい。
【００１１】
本発明の一実施の形態による液体カートリッジにおいて、前記メッシュ部材又は前記容器部に、前記噴霧デバイス側と電気的に接続されるとともに前記容器部の前記液体収容部内に収容された液体を霧化するための振動付与部が設けられていてもよい。
【００１２】
本発明の一実施の形態による液体カートリッジにおいて、前記メッシュ部材又は前記容器部に、前記噴霧デバイス側と電気的に接続されるとともに前記容器部の前記液体収容部内に収容された液体を吐出するためのエネルギー伝達部が設けられていてもよい。
【００１３】
本発明の一実施の形態による噴霧デバイスは、噴霧口を有する筐体と、前記筐体内に配置された液体カートリッジであって、一端が開口する液体収容部と前記液体収容部周囲に設けられたフランジ部とを有する容器部と、前記液体収容部の開口を覆うように前記容器部の前記フランジ部上に配置され、複数の貫通孔が前記液体収容部の前記開口が存在する領域に位置するように形成されたメッシュ部材とを有し、前記液体収容部に液体が収容された、液体カートリッジと、前記液体カートリッジの前記液体収容部内に収容された前記液体を霧化するための振動付与部と、前記振動付与部に接続され、前記振動付与部に電源を供給する電源部と、前記筐体内に配置され、前記容器部の前記フランジ部および前記メッシュ部材の外周を折り曲げることにより両者を接合する固定部材とを備えたことを特徴とするものである。
【００１４】
本発明の一実施の形態による噴霧デバイスにおいて、前記固定部材は、前記メッシュ部材側に位置する第１固定部材と、前記フランジ部側に位置する第２固定部材とを含み、前記容器部の前記フランジ部および前記メッシュ部材の外周は、前記第１固定部材と前記第２固定部材との間で折り曲げられてもよい。
【００１５】
本発明の一実施の形態による噴霧デバイスにおいて、前記第１固定部材および前記第２固定部材は、それぞれリング状部材からなってもよい。
【００１６】
本発明の一実施の形態による噴霧デバイスにおいて、前記第１固定部材および前記第２固定部材は、それぞれ棒状部材からなってもよい。
【００１７】
本発明の一実施の形態による噴霧デバイスにおいて、前記第１固定部材および前記第２固定部材は、それぞれテーパー面を有し、前記第１固定部材の前記テーパー面と前記第２固定部材の前記テーパー面とが、互いに対向する位置に設けられていてもよい。
【００１８】
本発明の一実施の形態による噴霧デバイスにおいて、前記第１固定部材および前記第２固定部材のうち、一方の固定部材は凹部を有し、他方の固定部材は前記凹部に対応する凸部を有してもよい。
【００１９】
本発明の一実施の形態による噴霧デバイスにおいて、前記第１固定部材および前記第２固定部材の少なくとも一方に連結され、前記第１固定部材および前記第２固定部材を相対的に接近させるための接近手段を更に備えてもよい。
【００２０】
本発明の一実施の形態による噴霧デバイスは、噴霧口を有する筐体と、前記筐体内に配置された液体カートリッジであって、一端が開口する液体収容部と前記液体収容部周囲に設けられたフランジ部とを有する容器部と、前記液体収容部の開口を覆うように前記容器部の前記フランジ部上に配置され、複数の貫通孔が前記液体収容部の前記開口が存在する領域に位置するように形成されたメッシュ部材とを有し、前記液体収容部に液体が収容された、液体カートリッジと、前記液体カートリッジの前記液体収容部内に収容された前記液体を霧化するためのエネルギー伝達部と、前記エネルギー伝達部に接続され、前記エネルギー伝達部に電源を供給する電源部と、前記筐体内に配置され、前記容器部の前記フランジ部および前記メッシュ部材の外周を折り曲げることにより両者を接合する固定部材とを備えたことを特徴とするものである。
【００２１】
本発明の一実施の形態によるメッシュ付容器は、噴霧デバイス用のメッシュ付容器であって、一端が開口する液体収容部と、前記液体収容部周囲に設けられたフランジ部とを有する容器部と、前記液体収容部の開口を覆うように前記容器部の前記フランジ部上に配置され、複数の貫通孔が前記液体収容部の前記開口が存在する領域に位置するように形成されたメッシュ部材と、を備え、前記容器部および前記メッシュ部材が前記噴霧デバイスに組み込まれた際、前記噴霧デバイス側の固定部材によって、前記容器部の前記フランジ部および前記メッシュ部材の外周が折り曲げられて、両者が接合されることを特徴とするものである。
【発明の効果】
【００２２】
本発明によれば、噴霧デバイスに用いられるメッシュ部材を交換可能とするとともに、噴霧デバイス内でメッシュ部材と容器部とをしっかり固定することができる。
【図面の簡単な説明】
【００２３】
【図１】図１は本発明の一実施形態に係る噴霧デバイスの概略構成図である。
【図２】図２は液体カートリッジおよび固定部材の斜視図である。
【図３】図３は液体カートリッジおよび固定部材の変形例を示す斜視図である。
【図４】図４（Ａ）〜（Ｃ）は固定部材の変形例を示す断面図である。
【図５】図５（Ａ）〜（Ｃ）は各種接近手段を示す概略図である。
【図６】図６（Ａ）〜（Ｄ）はミスト発生機構の一例を説明するための模式図である。
【図７】図７は本発明の一実施形態に係るメッシュ付容器の断面図である。
【図８】図８はメッシュ付容器の変形例を示す断面図である。
【図９】図９はメッシュ付容器の変形例を示す断面図である。
【図１０】図１０は本発明の一実施形態に係る液体カートリッジを示す断面図である。
【図１１】図１１は容器部の変形例を示す断面図である。
【図１２】図１２（Ａ）〜（Ｂ）は固定部材を用いて容器部およびメッシュ部材を固定する際の作用を示す概略図である。
【発明を実施するための形態】
【００２４】
以下、図面を参照しながら本発明の各実施形態について説明する。図面は例示であり、説明のために特徴部を誇張することがあり、実物とは異なる場合がある。また、技術思想を逸脱しない範囲において適宜変更して実施することが可能である。なお、以下の各図において、同一部分には同一の符号を付しており、一部詳細な説明を省略する場合がある。
【００２５】
（噴霧デバイス）
まず本発明の一実施形態に係る噴霧デバイス（ミスト発生器）について説明する。図１は、本発明の一実施形態に係る噴霧デバイスの概略構成図である。以下で説明する噴霧デバイスは、設置場所を固定して利用するものであってもよいし、使用者が携帯して任意の場所で利用するものであってもよい。
【００２６】
図１に示すように、噴霧デバイス１０００は、筐体１０１０と、筐体１０１０内に配置され、容器部１１０とメッシュ部材１２０とを有する液体カートリッジ１００と、液体カートリッジ１００のメッシュ部材１２０に振動を付与する振動付与部１７０と、筐体１０１０内に配置され、容器部１１０とメッシュ部材１２０とを互いに固定する固定部材１０８０と、振動付与部１７０に接続され、振動付与部１７０に電源を供給する電源部１０３０と、を少なくとも有している。この噴霧デバイス１０００において、筐体１０１０に設けられた噴霧口１０１５を通じて、霧化した液体１３０が筐体１０１０外へ噴霧されるようになっている。
【００２７】
筐体１０１０の形態は特に限定されるものではないが、例えば細長い筒形状を有していても良い。また、図１に示すように、筐体１０１０内には、噴霧デバイス１０００を制御する制御部１０５０が設けられ、この制御部１０５０には、電源部１０３０と、入力部１０４０と、端子部１０７０とが、配線部１０６０を介してそれぞれ電気的に接続されている。
【００２８】
詳細は後述するが、液体カートリッジ１００は、少なくとも、液体収容部１１２と液体収容部１１２の周囲に設けられたフランジ部１１４とを有する容器部１１０と、液体収容部１１２の開口を覆うように設けられたメッシュ部材１２０とにより構成されている。また、容器部１１０の液体収容部１１２には液体１３０が収容されている。この場合、振動付与部１７０は、メッシュ部材１２０に設けられている。なお、メッシュ部材１２０と、メッシュ部材１２０に設けられた振動付与部１７０とにより、メッシュ部材装置２００が構成される。
【００２９】
この液体カートリッジ１００は、筐体１０１０の噴霧口１０１５に対応する位置にメッシュ部材１２０が配置されるように設置されている。メッシュ部材１２０の配置は、液体１３０の噴霧方向に応じて適宜設定される。例えば、液体１３０の噴霧方向が鉛直方向である場合には、メッシュ部材１２０が鉛直方向を向くように配置され、また、液体１３０の噴霧方向が水平方向である場合には、メッシュ部材１２０が水平方向を向くように配置される。筐体１０１０には、容器部１１０およびメッシュ部材１２０が挿設可能なように挿入口（図示せず）が形成されている。挿入口の位置は、筐体１０１０の上部あるいは側部であっても良い。この場合、容器部１１０およびメッシュ部材１２０は、挿入口を介して筐体１０１０内に取外し可能に装着される。
【００３０】
容器部１１０に格納された液体１３０は、所定の手段によって霧化され、メッシュ部材１２０を通過して噴霧口１０１５から筐体１０１０外へ噴霧される。図１では、液体カートリッジ１００の振動付与部１７０によりメッシュ部材１２０を振動し、該振動を利用して微小なミストを発生させる例を示している。
【００３１】
電源部１０３０としては、例えば乾電池や充電池等の電池を用いることができる。電源部１０３０が充電池からなる場合、充電は家庭用コンセントによって行っても良く、太陽光によって行っても良い。また充電池等を用いない場合には、例えばＡＣアダプタなどを介してコンセントに接続し、直接に電力を供給しても構わない。
【００３２】
入力部１０４０は、制御部１０５０および端子部１０７０を介して、電源部１０３０から液体カートリッジ１００の振動付与部１７０へ加わる電力をオンオフするものであり、例えば公知の電源スイッチからなっている。なお、制御部１０５０は必ずしも必須の構成ではなく、入力部１０４０により電源部１０３０と端子部１０７０とを直接接続しても良い。
【００３３】
また、固定部材１０８０は、メッシュ部材１２０側に位置する第１固定部材（外側固定部材）１０８２と、容器部１１０のフランジ部１１４側であって、第１固定部材１０８２より径方向内側に位置する第２固定部材（内側固定部材）１０８４とを有している。第１固定部材１０８２と第２固定部材１０８４とは、その少なくとも一方が移動することにより、互いに対して接近及び離間するようになっている。そして、第１固定部材１０８２と第２固定部材１０８４とが互いに接近した際、第１固定部材１０８２と第２固定部材１０８４との間で、容器部１１０のフランジ部１１４およびメッシュ部材１２０の外周が折り曲げられて、両者が接合されるようになっている。これにより、第１固定部材１０８２と第２固定部材１０８４との間でメッシュ部材１２０と容器部１１０とが挟持され、しっかり固定される。
【００３４】
図２に示すように、第１固定部材１０８２および第２固定部材１０８４は、それぞれ円環状のリング状部材からなっている。この場合、第１固定部材１０８２の直径は、第２固定部材１０８４の直径より大きい。このように、第１固定部材１０８２および第２固定部材１０８４がそれぞれリング状であることにより、容器部１１０のフランジ部１１４およびメッシュ部材１２０の外周を、その全周にわたって均一に折り曲げることができる。なお、第１固定部材１０８２および第２固定部材１０８４は、それぞれ例えば楕円環状または多角形環状であっても良い。
【００３５】
あるいは、図３に示すように、第１固定部材１０８２および第２固定部材１０８４は、それぞれ互いに平行な２本の棒状部材からなっていても良い。この場合、第１固定部材１０８２を構成する２本の棒状部材の間隔は、第２固定部材１０８４を構成する２本の棒状部材の間隔より大きい。例えば図３において、容器部１１０のフランジ部１１４およびメッシュ部材１２０の外周が矩形状であり、この矩形の４辺のうち対向する２辺が折り曲げられている。
【００３６】
図２および図３において、第１固定部材１０８２および第２固定部材１０８４は、それぞれ円形の垂直断面形状を有しているが、これに限られるものではない。
【００３７】
例えば、図４（Ａ）に示すように、第１固定部材１０８２および第２固定部材１０８４の断面がそれぞれ三角形であっても良い。この場合、第１固定部材１０８２および第２固定部材１０８４には、それぞれ互いに対向する位置にテーパー面１０８２ａ、１０８４ａが形成されている。このテーパー面１０８２ａ、１０８４ａが互いに係合することにより、フランジ部１１４およびメッシュ部材１２０が径方向外側に引っ張られるので、メッシュ部材１２０がたるむことが防止される。
【００３８】
なお、図２や図３では、固定部材１０８０によりメッシュ部材１２０の外周全てが同時に折り曲げられる、メッシュ部材１２０のたるみを防ぐための最良の形態が描かれているが、たるみを防ぐことが可能であるならば、この限りではない。例えば図３を用いて説明するならば、第１固定部材１０８２および第２固定部材１０８４を構成する棒状部材は、右側の対が先に折り曲げを実施し、次いで左側の対が折り曲げを実施するように、メッシュ部材１２０の一端を折り曲げて固定した後、残る部分を折り曲げても良い。また噴霧デバイス１０００の外部にてメッシュ部材１２０の一端を固定しておくことが出来るのならば、例えば棒状部材の右側の対は、噴霧デバイス１０００の外部にて固定されたメッシュ部材１２０の一端を保持するための、折り曲げ機能を持たない保持部であってもよい。この場合、棒状部材の残る左側の対を用いて、メッシュ部材１２０の残る部分のみを折り曲げるようにしても良い。
【００３９】
また、図４（Ｂ）に示すように、第１固定部材１０８２および第２固定部材１０８４の断面がそれぞれ横長形状を有し、テーパー面１０８２ａ、１０８４ａが、それぞれ第１固定部材１０８２および第２固定部材１０８４の外周部に設けられていても良い。この場合においても、テーパー面１０８２ａ、１０８４ａが互いに係合することにより、フランジ部１１４およびメッシュ部材１２０が径方向外側に引っ張られるので、メッシュ部材１２０がたるむことが防止される。
【００４０】
あるいは、図４（Ｃ）に示すように、第２固定部材１０８４が凹部１０８４ｂを有し、第１固定部材１０８２がこの凹部１０８４ｂに対応する凸部１０８２ｂを有していても良い。この場合、第１固定部材１０８２の凸部１０８２ｂが第２固定部材１０８４の凹部１０８４ｂに係合することにより、フランジ部１１４およびメッシュ部材１２０が径方向外側に引っ張られるので、メッシュ部材１２０がたるむことが防止される。なお、これとは逆に、第１固定部材１０８２が凹部を有し、第２固定部材１０８４が第１固定部材１０８２の凹部に対応する凸部を有していても良い。
【００４１】
第１固定部材１０８２および第２固定部材１０８４の材料としては、例えば、合成ゴム等の弾性材料、ポリエチレンテレフタレート（ＰＥＴ）、ポリカーボネート（ＰＣ）、ポリスチレン（ＰＳ）、ポリプロプレン（ＰＰ）等の合成樹脂材料、アルミニウム、ステンレス等の金属材料等を挙げることができる。
【００４２】
なお、固定部材１０８０は、容器部１１０のフランジ部１１４およびメッシュ部材１２０の外周を折り曲げて両者を接合するものであれば良い。したがって、固定部材１０８０は必ずしも複数の部材（例えば第１固定部材１０８２および第２固定部材１０８４）から構成されていなくても良く、単一の部材から構成されていてもよい。
【００４３】
また、第１固定部材１０８２および第２固定部材１０８４の一方または両方に、第１固定部材１０８２および第２固定部材１０８４を相対的に接近させるための接近手段１０９０が連結されている。
【００４４】
接近手段１０９０は、少なくともその一部が筐体１０１０内に配置されており、使用者によって手動操作可能となっていても良い。あるいは、筐体１０１０の外面に図示しないスイッチを設け、このスイッチによって接近手段１０９０が自動で作動するようになっていても良い。この接近手段１０９０を用いることにより、第１固定部材１０８２および第２固定部材１０８４が容器部１１０のフランジ部１１４およびメッシュ部材１２０の外周を折り曲げ、両者が接合される。
【００４５】
このような接近手段１０９０としては、例えば図５（Ａ）に示すように、支点１０９２を中心に回動可能であるとともに、その一端に第１固定部材１０８２または第２固定部材１０８４が連結されたレバー１０９１を含むものであっても良い。
【００４６】
また、図５（Ｂ）に示すように、接近手段１０９０は、固定されたベース部１０９３と、ベース部１０９３に設けられたねじ部１０９４とを有していても良い。この場合、ねじ部１０９４により、第１固定部材１０８２および第２固定部材１０８４の少なくとも一方が、ベース部１０９３に沿って直動される。
【００４７】
あるいは、図５（Ｃ）に示すように、接近手段１０９０は、固定されたベース部１０９５と、ベース部１０９５に連結され、第１固定部材１０８２をベース部１０９５方向に引っ張るスプリング（弾性体）１０９６とを有していても良い。
【００４８】
次に、図１及び図６（Ａ）〜（Ｄ）を参照して、噴霧デバイス１０００のミスト発生機構について説明を行う。図６（Ａ）〜（Ｄ）は、噴霧デバイス１０００のミスト発生機構の一例を説明するための模式図である。図６（Ａ）〜（Ｄ）において、メッシュ部材１２０のうち容器部１１０に固定された位置よりも内側であって、液体１３０の反対側に、圧電素子などの振動付与部１７０が設けられている。
【００４９】
図６（Ａ）は、メッシュ部材１２０に振動を付与していない状態を示す図であり、液体１３０の表面張力によりメッシュ部材１２０に液体１３０が接触している。筐体１０１０に設けられたスイッチなどの入力部１０４０を使用者が押すと、「ＯＮ」の信号が制御部１０５０に送信される。制御部１０５０では入力部１０４０からの「ＯＮ」の信号によって電源部１０３０から振動付与部１７０へと電源を供給する。これにより、振動付与部１７０が振動を始める。
【００５０】
図６（Ｂ）〜（Ｄ）は、振動付与部１７０によりメッシュ部材１２０に振動を付与した状態を示す図である。図６（Ｂ）では、メッシュ部材１２０が外側へ変位し、それに伴って表面張力により液体１３０が外側へ引っ張られる。図６（Ｃ）では、メッシュ部材１２０が再び変位がない状態に変位し、それに伴って液体収容部１１２の内圧が高まり、液体１３０が外側へ押し出される。図６（Ｄ）では、メッシュ部材１２０が内側へ変位し、押し出された液体１３０は表面張力により球形になり噴出される。圧電素子等の振動付与部１７０によりメッシュ部材１２０に繰返し振動を付与することで、連続的にミストを発生させることができる。
【００５１】
（メッシュ付容器）
以下、図面を参照しながら、本発明の一実施形態に係る液体カートリッジを構成するメッシュ付容器について説明する。図７は、本発明の一実施形態に係るメッシュ付容器の断面図である。
【００５２】
図７に示すメッシュ付容器１０は、少なくとも容器部１１０と、メッシュ部材１２０とにより構成されている。より詳細には、メッシュ付容器１０は、一端が開口する液体収容部１１２とフランジ部１１４とを有する容器部１１０と、液体収容部１１２の開口を覆うように容器部１１０の一端側に配設され、複数の貫通孔１２２が形成されたメッシュ部材１２０とを備えている。また、メッシュ部材１２０の複数の貫通孔１２２は、液体収容部１１２の開口が存在する領域（開口領域１１３）に位置している。さらに、メッシュ部材１２０に、噴霧デバイス１０００の端子部１０７０と電気的に接続されるとともに液体収容部１１２内に収容された液体１３０を霧化する振動付与部１７０が設けられている。
【００５３】
Ａ．容器部
容器部１１０は、液体１３０を収容可能な内室である液体収容部１１２を備える。液体収容部１１２は一端が開口し、液体収容部１１２で保持された液体１３０が該開口を通じて容器部１１０外に導かれる。また、容器部１１０は、液体収容部１１２の外周に設けられたフランジ部１１４を有しており、このフランジ部１１４を介して容器部１１０とメッシュ部材１２０が接合されている。容器部１１０の材質に制限はないが、例えば、ポリエチレンテレフタレート（ＰＥＴ）、ポリカーボネート（ＰＣ）、ポリスチレン（ＰＳ）などの樹脂、ガラス、シリコンなどの半導体、アルミニウムなどの金属等、又はこれらの積層体などを用いることができる。材質が樹脂である場合には、射出成形、熱成形などの公知の手法で作製可能であり、また材質がガラス、半導体、又は金属等である場合には、機械加工、ＭＥＭＳ（Micro Electro Mechanical Systems）加工技術などの公知の手法で作製可能である。なかでも、使い捨て利用する場合には、コスト及び生産性の観点から樹脂を用いることが好ましい。
【００５４】
なお、容器部１１０のうち少なくともフランジ部１１４は、噴霧デバイス１０００の固定部材１０８０によって折り曲げられるよう弾性変形可能となっている。
【００５５】
Ｂ．メッシュ部材
メッシュ部材１２０は、液体収容部１１２の開口を覆うように容器部１１０の一端側に配設される。メッシュ部材１２０には多数の貫通孔１２２が形成されており、多数の貫通孔１２２は液体収容部１１２の開口が存在する領域（開口領域１１３）に位置する。メッシュ部材１２０の材質に制限はないが、例えば、ポリエチレンテレフタレート（ＰＥＴ）、ポリカーボネート（ＰＣ）、ポリスチレン（ＰＳ）、ポリプロプレン（ＰＰ）の単層又はこれら積層体とすることができる。メッシュ部材１２０の厚さに制限はなく、材質に応じて適切な剛性を得られるように設定するとよい。具体的な数値を挙げると、例えば、１０μｍ〜１０ｍｍの範囲で設定するとよい。
【００５６】
貫通孔１２２の開口の大きさは、分級する程度に応じて適宜設定することができるが、例えば、１〜５０μｍの範囲とするとよい。例えば、化粧水を霧化してミストとして放散する場合には、上記数値範囲とすることで、肌への浸透効果を高めることができるからである。貫通孔１２２は、その孔の大きさが均一に揃えられていてもよいし、孔の大きさが不均一であってもよい。貫通孔１２２の個数及びその存在密度には制限はないが、例えば１０〜５００個／ｍｍ２の範囲とするとよい。なお、貫通孔１２２の平面形状は、円のほか、多角形又は楕円等としても良い。また、メッシュ部材１２０の表面と裏面とで、貫通孔１２２の開口の大きさが同一であってもよいし、互いに異なっていても良い。
【００５７】
なお、メッシュ部材１２０のうち少なくとも外周部分は、噴霧デバイス１０００の固定部材１０８０によって折り曲げられるよう弾性変形可能となっている。なお、容器部１１０のフランジ部１１４とメッシュ部材１２０の外周とをより確実に密着させるため、メッシュ部材１２０の外周の曲げ弾性率より容器部１１０のフランジ部１１４の曲げ弾性率を大きくすることが好ましい。あるいはメッシュ部材１２０およびフランジ部１１４のいずれか、あるいは両方を使い捨てるのであれば、折り曲げた後に元に戻る必要がないため、弾性変形ではなく、塑性によって曲げの形状が得られるよう降伏点を持ち、折り曲げの力が降伏点以上であることが好ましい。
【００５８】
なお、本明細書において、メッシュ部材１２０のうち、液体１３０が噴霧される側の面（図７の上面）を表面といい、容器部１１０側の面（図７の下面）を裏面という。
【００５９】
Ｃ．振動付与部
振動付与部１７０は、上述したように噴霧デバイス１０００の端子部１０７０（図１）に接続され、電源部１０３０からの電力によりメッシュ部材１２０に振動を加え、容器部１１０に格納された液体１３０を霧化する機能を有する。また、振動付与部１７０は、メッシュ部材１２０の表面のうち貫通孔１２２が設けられた領域の周囲に位置していても良い。さらに振動付与部１７０は、例えば円環状または多角形環状からなる平面形状を有していても良い。このような振動付与部１７０としては、例えばフィルム圧電素子等の圧電素子を挙げることができる。
【００６０】
図７において、振動付与部１７０は、メッシュ部材１２０の表面に設けられている。振動付与部１７０をメッシュ部材１２０に取り付ける方法については問わないが、例えば接着剤により、振動付与部１７０をメッシュ部材１２０に接着しても良い。このように、振動付与部１７０をメッシュ部材１２０の表面に設けることにより、容器部１１０のフランジ部１１４とメッシュ部材１２０の裏面とを密着させることができ、固定部材１０８０（図１）を用いて容器部１１０とメッシュ部材１２０とを固定しやすくすることができる。
【００６１】
なお、振動付与部１７０は、メッシュ部材１２０の裏面であって、固定部材１０８０（図１）によって容器部１１０とメッシュ部材１２０とを固定する際の妨げにならない箇所に設けられていても良い。この場合、貫通孔１２２から噴霧された液体１３０が振動付与部１７０に付着することが防止される。これにより、振動付与部１７０が液体１３０の影響によって故障または劣化したり、不衛生な状態になったりすることを防止することができる。
【００６２】
また、図７において、振動付与部１７０は、容器部１１０のフランジ部１１４側から開口領域１１３に重なる位置まで内方に延在している。この場合、振動付与部１７０をメッシュ部材１２０の貫通孔１２２に接近させることができ、振動付与部１７０により液体１３０のミストを発生しやすくすることができる。しかしながら、これに限らず、振動付与部１７０が開口領域１１３に重ならないようにしても良い。
【００６３】
図７において、メッシュ部材１２０は均一な厚みを有しているが、これに限られるものではない。例えば、図８に示すように、メッシュ部材１２０は、径方向内側に位置する薄肉領域１２７と、薄肉領域１２７より径方向外側に位置するとともに、薄肉領域１２７より厚い厚肉領域１２８とを有していても良い。とりわけ、メッシュ部材１２０のうち、貫通孔１２２および振動付与部１７０が設けられた領域を薄肉領域１２７とし、振動付与部１７０が設けられた領域より径方向外側の領域を厚肉領域１２８とすることが好ましい。
【００６４】
この場合、メッシュ部材１２０のうち、固定部材１０８０によって挟持される厚肉領域１２８の強度を高めることができるとともに、振動付与部１７０によって振動される薄肉領域１２７をより振動させやすくすることができる。
【００６５】
あるいは図９に示すように、振動付与部１７０は、メッシュ部材１２０ではなく、容器部１１０のうち、メッシュ部材１２０の貫通孔１２２に対向する部分（例えば容器部１１０の底部）に設けられていてもよい。この様態においては、噴霧する液体１３０が振動付与部１７０に接触しづらい構造を有するため、振動付与部１７０の劣化などが起こりづらいという特徴を有する。
【００６６】
また、振動付与部１７０は、メッシュ部材１２０または容器部１１０ではなく、噴霧デバイス１０００側に設けられても良い。この場合、振動付与部１７０は、筐体１０１０内であって、メッシュ部材１２０が装着されたときにメッシュ部材１２０に接触する所定位置に固定されて配置される。
【００６７】
なお、上記は一例であって、ミスト発生機構はこれに限定されるものではない。例えば、従来公知の超音波によるミスト発生機構を適応することも可能である。また、メッシュ部材１２０に振動を付与する振動付与部１７０に代えて、エネルギー伝達手段によって液体１３０にエネルギーを伝達して、メッシュ部材１２０を介して液体１３０を吐出可能な構成であってもよい。この場合、エネルギー伝達手段によって吐出された液体１３０が、噴霧口１０１５を通じて吐出される。そのようなエネルギー伝達手段の一例としては、例えば、ソレノイドコイルやヒートパルスのようなパルス的にエネルギーを加える方式のものを挙げることができる。
【００６８】
（液体カートリッジ）
上記メッシュ付容器の液体収容部に液体が充填されることにより、液体カートリッジが構成される。以下では、図１０を参照して液体カートリッジについて説明を行う。
【００６９】
図１０において、液体カートリッジ１００は、上述したメッシュ付容器１０（図７）の液体収容部１１２に液体１３０を充填することにより構成される。このような液体カートリッジ１００は、液体収容部１１２を有する容器部１１０と、液体収容部１１２の開口を覆うように設けられたメッシュ部材１２０とを備えている。また、メッシュ部材１２０に振動付与部１７０が設けられている。また、液体収容部１１２には液体１３０が格納されている。なお、容器部１１０、メッシュ部材１２０及び振動付与部１７０の構成については、図７を用いて説明したので、ここでは詳細な説明を省略する。
【００７０】
なお、図１０において、液体カートリッジ１００は、図７に示すメッシュ付容器１０の液体収容部１１２に液体１３０を充填することにより構成されているが、図８および図９に示すメッシュ付容器１０を用いても良い。
【００７１】
また、図１１に示すように、容器部１１０は、充填された液体１３０の劣化や外部への液漏れを防ぐために、液体収容部１１２上に設けられた、液体１３０を封止するシール部材１５５を更に備えることが好ましい。このシール部材１５５は、容器部１１０の表面に液体収容部１１２の開口を覆うように設けられている。
【００７２】
このシール部材１５５は、例えば、接着層を介して容器部１１０に固定されている。シール部材１５５の材質には制限がないが、例えば、ポリエチレンテレフタレート（ＰＥＴ）、ナイロン等の樹脂、アルミなどの金属、又はこれらの積層体を用いることができる。シール部材１５５の厚さに制限はなく、例えば、１０μｍ〜１ｍｍの範囲としてもよい。シール部材１５５は、容器部１１０から剥離可能に配設されることが好ましい。シール部材１５５を容器部１１０に接合する方法としては、弱粘着性の接着剤を用いてシール部材１５５を容器部１１０に接合する方法、ヒートシール剤などの接着剤によりシール部材１５５と容器部１１０が部分的に接着されるように接着面積を制御する方法を挙げることができる。
【００７３】
容器部１１０の液体収容部１１２へ液体１３０を充填する方法は種々考えられる。例えば、液体収容部１１２に液体１３０を注入した後で、シール部材１５５を容器部１１０に接合する方法か、あるいは、シール部材１５５を容器部１１０に接合した後で容器部１１０の他端（底面側）の注入孔（図示せず）から液体１３０を注入し、この注入孔を封止する方法などが考えられる。なお、容器部１１０の液体収容部１１２に充填される液体１３０は、使用時において液体状態であるものであれば特に限定されないが、例えば、化粧水、薬剤、芳香剤を挙げることができる。
【００７４】
（本実施の形態の作用）
次に、このような構成からなる本実施の形態の作用について説明する。
【００７５】
まず、使用者は、図示しないパッケージ用袋からメッシュ部材１２０を取り出す。このメッシュ部材１２０には、上述したように振動付与部１７０が取り付けられており（図７）、メッシュ部材１２０と振動付与部１７０とが一体となってメッシュ部材装置２００を構成している。また、図示しないパッケージ用袋から容器部１１０を取り出す。次に、容器部１１０のシール部材１５５（図１１）を液体収容部１１２から剥離除去する。
【００７６】
続いて、使用者は、噴霧デバイス１０００の筐体１０１０内に、メッシュ部材１２０および容器部１１０を含む液体カートリッジ１００を装着する（図１参照）。このとき、メッシュ部材１２０および容器部１１０は、一体として、又はそれぞれ個別に筐体１０１０の挿入口（図示せず）から挿入され、噴霧デバイス１０００内に組み込まれる。また、メッシュ部材１２０が、筐体１０１０の噴霧口１０１５に対応する位置に配置され、振動付与部１７０が噴霧デバイス１０００の端子部１０７０に接続される。この際、固定部材１０８０の第１固定部材１０８２と第２固定部材１０８４とは予め互いに離間しており、メッシュ部材１２０の外周と容器部１１０のフランジ部１１４は、これら第１固定部材１０８２と第２固定部材１０８４との間に配置される（図１２（Ａ））。
【００７７】
次に、使用者は、噴霧デバイス１０００の固定部材１０８０を用いて、メッシュ部材１２０と容器部１１０とを互いに固定する。この場合、使用者は、接近手段１０９０を操作することにより、第１固定部材１０８２と第２固定部材１０８４との少なくとも一方を移動させ、第１固定部材１０８２と第２固定部材１０８４とを互いに接近させる。これにより、第１固定部材１０８２と第２固定部材１０８４との間で、容器部１１０のフランジ部１１４とメッシュ部材１２０の外周とが折り曲げられて、それぞれ弾性変形する。このようにして、容器部１１０のフランジ部１１４とメッシュ部材１２０の外周とが固定部材１０８０によって挟持され、これにより容器部１１０のフランジ部１１４とメッシュ部材１２０の外周とが接合される（図１２（Ｂ））。
【００７８】
次に、使用者がスイッチなどの入力部１０４０をオンにすると、制御部１０５０は、電源部１０３０から端子部１０７０へ向けて電源を供給する。これにより、端子部１０７０に接続された振動付与部１７０が振動を始める。この際、上述したように（図６（Ａ）〜（Ｄ））、振動付与部１７０によってメッシュ部材１２０が振動され、メッシュ部材１２０の貫通孔１２２からミスト状の液体１３０が連続的に噴霧される。
【００７９】
その後、液体収容部１１２の液体１３０が空になった場合、使用者は、入力部１０４０をオフにし、これにより電源部１０３０から端子部１０７０へ供給される電源が停止して、振動付与部１７０の振動が停止する。なお、使用者が入力部１０４０へオフの信号を伝えずに、噴霧デバイス１０００に内蔵されたタイマー機構により、所定時間経過後に運転が停止するものであってもよい。
【００８０】
次に使用者は、空の容器部１１０を噴霧デバイス１０００の筐体１０１０内から取り出して、廃棄する。また、メッシュ部材１２０を筐体１０１０から取り出して廃棄しても良い。この場合、メッシュ部材１２０と振動付与部１７０とが一体となって筐体１０１０から取り出される。続いて、使用者は、必要に応じて新しい容器部１１０および／またはメッシュ部材１２０を噴霧デバイス１０００の筐体１０１０内に装着し、噴霧デバイス１０００を引き続き使用する。
【００８１】
このように本実施の形態によれば、容器部１１０およびメッシュ部材１２０が噴霧デバイス１０００に組み込まれた際、固定部材１０８０により、容器部１１０のフランジ部１１４およびメッシュ部材１２０の外周が折り曲げられて、両者が接合される。これにより、メッシュ部材１２０を交換可能とするとともに、噴霧デバイス１０００内でメッシュ部材１２０と容器部１１０とをしっかり固定させることができる。このことにより、メッシュ部材１２０と容器部１１０との間で液体１３０が漏れることが防止される。また、メッシュ部材１２０が不用意にたわむおそれがないので、噴霧デバイス１０００の噴霧性能（噴霧量や噴霧方向等）が変化することが防止される。
【００８２】
また本実施の形態によれば、メッシュ部材１２０および振動付与部１７０を一体として交換可能となっているので、メッシュ部材１２０および振動付与部１７０に細菌などが繁殖して不衛生になることを防止することができる。また、長時間の使用後、例えば振動付与部１７０自体の振動や液体１３０の付着に起因して、振動付与部１７０が故障したり劣化したりすることが防止される。あるいはそのような状態となった場合であっても、振動付与部１７０の交換を容易にすることができる。
【００８３】
さらに、本実施の形態によれば、メッシュ部材１２０が容器部１１０とは別体に構成されているので、容器部１１０とメッシュ部材１２０とを、それぞれ異なる頻度で交換することができる。例えば、容器部１１０の液体１３０が空になった場合であっても、メッシュ部材１２０が引き続き使用できる場合には、メッシュ部材１２０を交換することなく、容器部１１０のみを交換することができる。
【００８４】
また、使用者が、異なる種類のメッシュ部材１２０を交換して使用することにより、用いられる液体１３０に適したメッシュ部材１２０および振動付与部１７０を適宜選択することができるので、噴霧デバイス１０００の利便性を高めることができる。
【符号の説明】
【００８５】
１０            メッシュ付容器
１００          液体カートリッジ
１１０          容器部
１１２          液体収容部
１１３          開口領域
１１４          フランジ部
１２０          メッシュ部材
１２２          貫通孔
１２７          薄肉領域
１２８          厚肉領域
１３０          液体
１５５          シール部材
１７０          振動付与部
１０００        噴霧デバイス
１０１０        筐体
１０１５        噴霧口
１０３０        電源部
１０４０        入力部
１０５０        制御部
１０６０        配線部
１０７０        端子部
１０８０        固定部材
１０８２        第１固定部材
１０８４        第２固定部材
１０９０        接近手段
【図１】
2013255693.tif 000003
【図２】
2013255693.tif 000004
【図３】
2013255693.tif 000005
【図４】
2013255693.tif 000006
【図５】
2013255693.tif 000007
【図７】
2013255693.tif 000008
【図８】
2013255693.tif 000009
【図９】
2013255693.tif 000010
【図１０】
2013255693.tif 000011
【図１１】
2013255693.tif 000012
【図１２】
2013255693.tif 000013
【図６】
2013255693.tif 000014